(57)【要約】【課題】本発明は、着脱可能な浴室カウンターの清掃時の負担を軽減可能な浴室カウンター収納構造及び浴室ユニットを提供する。【解決手段】本浴室カウンター収納構造（１）は、物品を載置可能な載置面（４１）を備え、浴室の壁面に対して着脱可能に構成された浴室カウンター（２）と、前記浴室カウンターを収納状態で保持する収納ブラケット（３）と、を備え、前記浴室カウンターは、前記収納状態において、前記浴室の床面から上方に離間した位置で前記収納ブラケットにより保持されることを特徴とする。【選択図】図３
2020032108.tif 000002
【特許請求の範囲】
【請求項１】
物品を載置可能な載置面を備え、浴室の壁面に対して着脱可能に構成された浴室カウンターと、
前記浴室カウンターを収納状態で保持する収納ブラケットと、
を備え、
前記浴室カウンターは、前記収納状態において、前記浴室の床面から上方に離間した位置で前記収納ブラケットにより保持されることを特徴とする浴室カウンター収納構造。
【請求項２】
前記収納状態において、前記浴室カウンターの前記載置面の周縁全周が前記壁面及び前記床面から離間した位置で前記収納ブラケットに保持される
請求項１に記載の浴室カウンター収納構造。
【請求項３】
前記収納状態において、前記浴室カウンターは、前記載置面が前記壁面に沿って配置されて収納される
請求項１または請求項２に記載の浴室カウンター収納構造。
【請求項４】
前記収納状態において、前記浴室カウンターは、前記載置面の反対側に設けられる裏面側が前記壁面に対向して配置されて前記収納ブラケットにより保持される
請求項３に記載の浴室カウンター収納構造。
【請求項５】
前記収納状態において、前記浴室カウンターは、前記載置面が前記壁面に対向して配置されて前記収納ブラケットにより保持される
請求項３に記載の浴室カウンター収納構造。
【請求項６】
前記浴室カウンターは、前記浴室カウンターの厚さ方向に貫通する排水口が形成され、
前記収納状態において、前記浴室カウンターは前記排水口に前記収納ブラケットが挿入されて、前記浴室カウンターが前記収納ブラケットに保持される請求項１から請求項５のいずれか一項に記載の浴室カウンター収納構造。
【請求項７】
請求項１から請求項６のいずれか一項に記載の浴室カウンター収納構造を備える浴室ユニットであって、
前記収納ブラケットは、前記浴室の洗い場に面する前記壁面に取り付けられていることを特徴とする浴室ユニット。
【発明の詳細な説明】
【技術分野】
【０００１】
本発明は、浴室の壁面に着脱可能に取り付けられる浴室カウンター収納構造及び浴室ユニットに関する。
【背景技術】
【０００２】
従来、浴室内の壁面には、石鹸、洗面器等、浴室で使用する物品を載置するカウンターが取り付けられている。例えば、シャワーや蛇口等の吐水装置の下方にカウンターが設けられ、カウンター上に石鹸、シャンプー、洗面器等を載置して使用する場合がある。
【０００３】
このような浴室カウンターとして、浴室カウンター及びその周辺の清掃を行いやすくするためにカウンターを浴室の壁面から容易に着脱可能とするカウンターが提案されている（例えば、特許文献１）。特許文献１のカウンターは、壁面への着脱が容易でありかつ軽量であるため、容易に清掃が行える。
【先行技術文献】
【特許文献】
【０００４】
【特許文献１】特開２０１８-５１１１９号公報
【発明の概要】
【発明が解決しようとする課題】
【０００５】
従来、浴室カウンターの下方の床面や壁面を清掃する際、壁面から取り外した浴室カウンターの置き場所について考慮されていなかった。そのため、清掃者は、取り外した浴室カウンターを持ちながら清掃する必要があり、作業性の改善が望まれていた。
【０００６】
上記事情を踏まえ、本発明は、着脱可能な浴室カウンターの清掃時の負担を軽減可能な浴室カウンター収納構造及び浴室ユニットを提供することを目的とする。
【課題を解決するための手段】
【０００７】
本発明に係る浴室カウンター収納構造は、物品を載置可能な載置面を備え、浴室の壁面に対して着脱可能に構成された浴室カウンターと、前記浴室カウンターを収納状態で保持する収納ブラケットと、を備え、前記浴室カウンターは、前記収納状態において、前記浴室の床面から上方に離間した位置で前記収納ブラケットにより保持されることを特徴とする。
【０００８】
この発明によれば、着脱可能に構成された浴室カウンターを壁面から取り外した際に、収納ブラケットにより収納状態で保持できる。さらに、収納状態では、浴室カウンターを浴室の床面から上方に離間した位置で保持できる。このため、浴室カウンターを壁面から取り外した際に、浴室の床面から離間した位置で、浴室カウンターを収納ブラケットにより安定的に支持できる。この結果、シャワー等の水栓から飛散する水が掛かったり、水が溜まりやすい床面から離間した位置で浴室カウンターを収納状態で保持できる。したがって、浴室カウンターを汚れ難い状態で収納可能である。また、清掃時に、清掃者が浴室カウンターを手で保持することなく容易に清掃できる。この結果、浴室カウンターの清掃時の清掃者の負担を軽減できる。
【０００９】
本発明に係る浴室カウンター収納構造では、前記収納状態において、前記浴室カウンターの前記載置面の周縁全周が前記壁面及び前記床面から離間した位置で前記収納ブラケットに保持されてもよい。
【００１０】
この発明によれば、収納状態において、浴室カウンターの載置面の周縁全周が浴室の壁面及び床面から離間した位置で浴室カウンターを収納ブラケットに保持できる。この結果、収納状態の浴室カウンターの全周を清掃できる。浴室及び浴室カウンターの清掃時に浴室カウンターを収納ブラケットにより安定的に支持できる。さらに、収納状態では、浴室カウンターを浴室の床面から上方に離間した位置で保持できる。その結果、清掃時に、清掃者が浴室カウンターを手で保持することなく容易に清掃できる。したがって、着脱可能な浴室カウンターの清掃時の負担を軽減できる。
【００１１】
本発明に係る浴室カウンター収納構造では、前記収納状態において、前記浴室カウンターは、前記載置面が前記壁面に沿って配置されて収納されてもよい。
【００１２】
この発明によれば、収納状態において、浴室カウンターの載置面を浴室の壁面に沿って配置して収納できる。この結果、浴室カウンターの壁面からの突出量を抑え、かつ床面から離間して収納できる。したがって、浴室カウンターの収納時、浴室カウンターが掃除や浴槽使用時の使用者の動線を妨げることがない。また、載置面が浴室の壁面に沿って配置されるため、浴室カウンターの壁面からの突出量が使用状態よりも抑えて収納できる。
なお、載置面が浴室の壁面に沿って配置されるとは、載置面が水平方向に向けて配置されて浴室の壁面に近接配置されること、および載置面が浴室の壁面と平行に配置されることを含む。
【００１３】
本発明に係る浴室カウンター収納構造は、前記収納状態において、前記浴室カウンターは、前記載置面の反対側に設けられる裏面側が前記壁面に対向して配置されて前記収納ブラケットにより保持されてもよい。
【００１４】
この発明によれば、収納状態において、浴室カウンターの裏面側が浴室の壁面に対向配置されて収納ブラケットにより保持される。したがって、収納状態時に、載置面が浴室の内側に向けられて保持される。載置面は、物品を載置するためにフラットな面を多く備えるため、収納状態では載置面が壁面と反対側に配置されると浴室カウンターを見栄えよく収納できる。また、裏面は、載置面に比べてブラケットへの取付けるための複雑な形状を多く備えるため、裏面が浴室の壁面に対向して配置されると、収納状態時に、裏面を見せない状態で浴室カウンターを保持でき、浴室カウンターをシンプルな外観で収納できる。また、凹凸部分等に汚れが付着し易い裏面を一旦見せない状態で収納できる。
【００１５】
本発明に係る浴室カウンター収納構造は、前記収納状態において、前記浴室カウンターは、前記載置面が前記壁面に対向して配置されて前記収納ブラケットにより保持されてもよい。
【００１６】
この発明によれば、収納状態において、浴室カウンターの裏面側が浴室の内側に向けられて保持される。この結果、天板に比べて凹凸箇所が多い裏面を清掃者側に配置して保持されるため、浴室カウンターの裏面を清掃し易い。
【００１７】
本発明に係る浴室カウンター収納構造では、前記浴室カウンターは、前記浴室カウンターの厚さ方向に貫通する排水口が形成され、前記収納状態において、前記浴室カウンターは前記排水口に前記収納ブラケットが挿入されて、前記浴室カウンターが前記収納ブラケットに保持されてもよい。
【００１８】
この発明によれば、浴室カウンターに設けられている排水口を収納ブラケットへの被支持部として兼用できる。したがって、浴室カウンターに収納ブラケットへの係合部を別途形成する場合に比べて、浴室カウンターの凹凸を低減できる。この結果、外観意匠性に優れた浴室カウンターを提供できる。また、凹凸部の清掃を低減できるため、浴室カウンターの清掃時の負担を軽減できる。
【００１９】
本発明に係る浴室ユニットは、上記浴室カウンター収納構造を備える浴室ユニットであって、前記収納ブラケットは、前記浴室の洗い場に面する前記壁面に取り付けられていることを特徴とする。
【００２０】
この発明によれば、収納ブラケットが洗い場に面する壁面に取り付けられるため、使用状態の浴室カウンターを取り外して収納ブラケットに取り付ける際の動線が円滑となる。また、浴室カウンターの清掃時、清掃者が洗い場に起立姿勢あるいは座位で浴室カウンターを容易に清掃できる。
【発明の効果】
【００２１】
本発明は、本発明は、着脱可能な浴室カウンターの清掃時の負担を軽減可能な浴室カウンター収納構造及び浴室ユニットを提供できる。
【図面の簡単な説明】
【００２２】
【図１】本発明の一実施形態に係る浴室カウンター収納構造を備える浴室ユニットの浴室カウンターの使用状態を示す斜視図である。
【図２】本発明の一実施形態に係る浴室カウンター収納構造を備える浴室ユニットの浴室カウンターの収納状態を示す斜視図である。
【図３】本発明の一実施形態の浴室カウンターの収納状態の側面図である。
【図４】本発明の一実施形態の浴室カウンターをブラケットに取り付ける態様を示す斜視図である。
【図５】本発明の一実施形態のブラケットの側面図である。
【図６】本発明の一実施形態の浴室カウンターの裏面側の平面図である。
【図７】本発明の一実施形態の浴室カウンターの収納状態の縦断面図である。
【図８】本発明の一実施形態の浴室カウンターをブラケットに取り付ける態様を示す斜視図である。
【図９】本発明の一実施形態の浴室カウンターの取付態様を示す模式図である。
【図１０】本発明の一実施形態に係る浴室カウンター収納構造の変形例を示す斜視図である。
【図１１】本発明の一実施形態の浴室カウンターの収納状態の側面図である。
【発明を実施するための形態】
【００２３】
以下、本発明の一実施形態に係る浴室カウンター収納構造について説明する。図１及び図２は、本実施形態に係る浴室カウンター収納構造１を備える浴室ユニット１００の斜視図である。図１は、浴室カウンター２の使用状態を示す図であり、図２は浴室カウンター２の収納状態を示す図である。図３は、本実施形態の浴室カウンターの収納状態を示す側面図である。本実施形態に係る浴室カウンター収納構造１は、浴室空間ＢＲの第一壁部１０３に対して着脱可能に構成された浴室カウンター２を、取り外して収納する際の収納構造である。以下では、浴室カウンター収納構造１を用いた浴室ユニット１００を例に説明する。なお、浴室カウンター収納構造１は浴室ユニット１００に限らず、在来工法により施工された浴室においても適用可能である。
【００２４】
浴室ユニット１００は、建物の躯体内にフレームとパネルとを用いて、床、壁、天井及び浴槽等を組み立てて設置される。浴室ユニット１００内に形成される浴室空間ＢＲ（浴室）には外枠形状が平面視で略長方形の浴槽１０１と、平面視略矩形であり、浴槽１０１と壁との間の床部を構成する洗い場（床面）１０２と、が設けられている。浴槽１０１の洗い場１０２との境界部分となる端部には、浴槽１０１の側面を覆うエプロン１０５が設けられ、洗い場１０２と浴槽１０１とは、エプロン１０５を介して接続されている。浴室空間ＢＲは、四方に立設された複数の壁部により形成されている。
【００２５】
本実施形態では、浴室ユニット１００の複数の壁部のうち、シャワー器具１０９、水栓１１０、シャワーホルダ１０７が設けられた壁を第一壁部１０３と称する。また、浴槽１０１のエプロン１０５の表面は、第一壁部１０３と直交して配置されている。
【００２６】
以下の説明において、第一壁部１０３の壁面に沿った水平方向を幅方向、幅方向に直交する水平方向を奥行方向とする。奥行方向のうち第一壁部１０３に近接する方向を奥行方向の奥側とし、第一壁部１０３と離間する方向を奥行方向の手前側とする。第一壁部１０３の幅方向のうち、使用者が第一壁部１０３に向かって立つ場合の左右をそれぞれ右側、左側と称する。本実施形態では、幅方向の左側に浴槽１０１が配置され、右側に洗い場１０２が配置されている。
【００２７】
図１及び図２に示すように、浴室カウンター２（以下、「カウンター」と記載する。）は、第一壁部１０３に取り付けられた後述するブラケット３（収納ブラケット）に対して着脱可能に構成されている。本実施形態では、第一壁部１０３の水栓１１０の下方、かつ、洗い場１０２の床面から上方に離間した位置に、カウンター２が取り付けられる。
【００２８】
本実施形態に係る浴室カウンター収納構造１は、第一壁部１０３に対して着脱可能なカウンター２をブラケット３から取り外した際に、カウンター２を収納状態で保持する構造である。図１に示すように、天板４１を上方に向けて配置してブラケット３に支持された状態をカウンター２の使用状態と称する。使用状態では、天板４１は上方（天井側）を向いて第一壁部１０３からに略水平方向に突出して配置される。一方、図２に示すように、カウンター２の天板４１が水平方向に向いて配置されて保持される状態を収納状態と称する。
【００２９】
浴室カウンター収納構造１は、カウンター２と、ブラケット３（収納ブラケット）とを備え、カウンター２がブラケット３に着脱可能に保持される。
【００３０】
カウンター２の構成について、使用状態の配置に基づき説明する。カウンター２は、物品を載置可能な天板（載置面）４１を備える平板状の部材である。カウンター２は、使用状態において上側に配置される天板部材４と、下側に配置される底板部材５と、を有し、天板部材４と底板部材５とが接合されて構成されている（図７参照）。天板部材４および底板部材５は、それぞれ樹脂材料により形成されている。
【００３１】
ブラケット３は、第一壁部１０３に取り付けられている。ブラケット３は、不図示の金属部材により第一壁部１０３に固定され、樹脂製のカバー部材により金属部材が覆われて構成されている。図３から図５に示すように、ブラケット３は、ベース体３１と、アーム部３２とを備えている。ベース体３１およびアーム部３２はカバー部材に一体に形成されている。ベース体３１は、幅方向に長尺な部材であり、金属部材を覆い、裏面３１１が第一壁部１０３に当接している。図５に示すように、表面部３１２は、上部が上下方向に延びる平面形状であり、下部は下端側に向かって次第に奥行方向の厚みが薄くなるようにわずかに傾斜する傾斜面が形成されている。ベース体３１の表面部３１２の幅方向両端部は、ベース体３１より幅方向外側に僅かに突出する突出縁３１５，３１５を有する。
【００３２】
アーム部３２は、平面視略Ｕ字形状を有し、表面部３１２から手前側に向かって略水平方向に突出して形成されている。アーム部３２は、幅方向に離間する２つの基部３２１，３２１がベース体３１の表面部３１２から手前側に突出し、各基部３２１，３２１の手前側の端部間にバー３２２が架設されている。バー３２２は、表面部３１２と略平行に延設されている。図４に示すように、バー３２２の手前側の端面は長楕円形状を有する。バー３２２には、化粧パネル３２３が取り付けられている（図７参照）。基部３２１，３２１の幅方向外側の各端部には、幅方向に突出する突起３４，３４が形成されている。
【００３３】
アーム部３２と、ベース体３１の表面部３１２との間には、係合孔３３が形成されている。係合孔３３は上下方向に貫通している。
【００３４】
係合孔３３の上方のベース体３１の表面部３１２には、ベース体３１の上面３１３よりも上方に突出する突出壁３１４が形成されている。突出壁３１４は、ベース体３１の手前側に表面部３１２に沿って上方に延出するように突出している。図３に示すように、突出壁３１４の左右上端部は幅方向外側に向かって下側に傾斜している。
【００３５】
図５に示すように、ブラケット３は、水栓１１０の第一壁部１０３からの突出長よりも突出長が短い。
【００３６】
カウンター２は、ブラケット３を介して浴室空間ＢＲの第一壁部１０３に対して着脱可能に構成されている。図６は、カウンター２の裏面側の平面図である。図６に示すように、カウンター２は、厚さ方向から見た平面視における形状が略長方形であり、４つの角部は円弧形状を有する。天板部材４と底板部材５とは外周縁部同士が接合されている。カウンター２の外周縁部には、厚さ方向（上下方向）に厚みを有する外周側壁２３が形成されている。外周側壁２３は、略平面状の壁部である。
【００３７】
使用状態では、カウンター２は、２つの長辺端部２１，２２のうちの一方の長辺端部側でブラケット３に係合され、第一壁部１０３から手前側に向かって突出している。２つの長辺端部２１，２２のうち、使用状態において手前側に位置する長辺端部を第一長辺端部２１と称し、被係合部５２が設けられている側の長辺端部を第二長辺端部２２と称する。
【００３８】
カウンター２には、厚さ方向に貫通する排水口２４が形成されている。排水口２４は、第一長辺端部２１の近傍であって、第一長辺端部２１よりも奥側に形成され、第一長辺端部２１と略平行に延びる長孔である。排水口２４の幅方向の両端部は、円弧形状を有する。天板部材４及び底板部材５に、排水口２４の形状に倣う貫通孔４４０，５４０がそれぞれ形成されている。図７に示すように、各貫通孔４４０，５４０の周縁には、カウンター２の厚さ方向に立設されたリブ４４１，５４１が形成されている。天板部材４と底板部材５とが接合されると、リブ４４１，５４１同士が嵌合し、天板部材４と底板部材５との間に形成されるカウンター２の内部空間への浸水が防止されている。
【００３９】
図１から図３に示すように、天板部材４の天板４１は上面（載置面）が扁平に形成されている。天板４１は、カウンター２の外周縁部から排水口２４に向かって僅かに下降傾斜している（図７参照）。すなわち、天板４１は、排水口２４の縁部の高さが最も低く、カウンター２の外周縁部から排水口２４に向かって緩やかに下降傾斜して形成されている。ただし、天板４１の傾斜角度は、天板４１上の水が排水口２４に向かって流れ、物品を載置した際に、物品が自重で傾斜に沿って移動しない程度の僅かな傾斜である。
【００４０】
図３に示すように、底板５１は、幅方向（長辺方向）の中央部において、第一長辺端部２１から第二長辺端部２２に向かって下方に傾斜した傾斜面を備えている。
【００４１】
図６に示すように、底板５１の第二長辺端部２２側の領域に被係合部５２を備える。被係合部５２は、第二長辺端部２２の幅方向略中央部、かつ第二長辺端部２２側の外周側壁２３より下方に形成されている。底板５１の被係合部５２は、内側凹部５５と、外側凹部５６と、突条部５３と、挿入穴５４とを備える。
【００４２】
内側凹部５５は、底板５１の幅方向略中央部に略矩形に形成された凹部である。内側凹部５５の幅方向の長さは、排水口２４の幅方向の長さと略等しい。また、内側凹部５５の左右の側壁５５１，５５１間の距離は、ブラケット３のアーム部３２の幅方向の寸法よりも僅かに大きい。図６に示すように、各側壁５５１，５５１には、係止凸部５７，５７が設けられている。係止凸部５７，５７は、それぞれ幅方向の中央側に向かって突出し、かつ奥行方向に延びる長尺な突起である。
【００４３】
内側凹部５５の第二長辺端部２２側の端部に突条部５３が形成されている。突条部５３は、略直方体形状であり、内側凹部５５の底部５５３から下方に突出して形成されている。突条部５３は、ブラケット３の係合孔３３の平面視内周形状と相似する形状を有する。
【００４４】
外側凹部５６は、内側凹部５５と第二長辺端部２２との間に形成された凹部である。外側凹部５６は、内側凹部５５と連続して形成され、幅方向に長尺な略矩形の凹部である。外側凹部５６は、内側凹部５５よりも幅方向の開口寸法が長い。外側凹部５６の幅方向の寸法は、ブラケット３のベース体３１の表面部３１２の幅方向の寸法よりも僅かに長い。
【００４５】
挿入穴５４は、外側凹部５６の底部５６１の幅方向中央部に、上方に向かって窪んで形成されている。挿入穴５４は、突条部５３と隣接する位置に形成されている。挿入穴５４は、ブラケット３の突出壁３１４の形状と相似する形状を有する。
【００４６】
外側凹部５６の幅方向の左右の側壁５６２，５６２には、幅方向外側に窪むスリット５６３，５６３がそれぞれ形成されている。
【００４７】
次に、カウンター２とブラケット３との係合構造について説明する。カウンター２は、使用状態と収納状態でそれぞれブラケット３に係合可能に構成されている（図９参照）。まず、使用状態におけるカウンター２とブラケット３との係合構造について説明する。
【００４８】
図８は、使用状態におけるカウンター２をブラケット３へ取り付ける態様を示す斜視図である。図８に示すように、カウンター２の天板４１を上方に向けて、底板５１の被係合部５２をブラケット３に上方から近付け、突条部５３を係合孔３３に挿入し、挿入穴５４に突出壁３１４を挿入する。
【００４９】
突条部５３はアーム部３２の係合孔３３の平面視形状と相似し、内側凹部５５の側壁５５１，５５１間の距離はブラケット３のアーム部３２の幅方向の寸法よりも僅かに大きいため、アーム部３２と被係合部５２とが係合する。また、内側凹部５５の手前側壁部５５２と突条部５３とにより、アーム部３２のバー３２２が挟持される。さらに、突条部５３の奥側壁５３１がブラケット３の表面部３１２に当接する。この結果、カウンター２の上方からの力に対して十分な耐荷重を備えて、カウンター２を使用状態で支持できる。
【００５０】
アーム部３２と被係合部５２との係合時、内側凹部５５の各側壁５５１，５５１に設けられた係止凸部５７，５７がアーム部３２の基部３２１，３２１の突起３４,３４を乗り越え、係止凸部５７，５７が突起３４,３４に係止される。さらに、外側凹部５６のスリット５６３，５６３にベース体３１の表面部３１２の突出縁３１５，３１５が挿入される。
【００５１】
使用状態におけるカウンター２の支持構造が上述の構成を備える結果、カウンター２はブラケット３の上方から近付けて、被係合部５２とアーム部３２とを係合させる簡易な構成で、カウンター２をブラケット３に着脱可能に係合させることができる。つまり、ネジ等の固定部材を用いることなく、カウンター２をブラケット３に係合できる。また、カウンター２の使用中に上方向へ不慮の力が加わった場合でも、カウンター２がブラケット３から外れ難い。
【００５２】
一方、カウンター２をブラケット３から取り外す場合は、使用者がカウンター２を把持しながら上方に持ち上げると、係止凸部５７，５７が突起３４,３４を乗り越えて被係合部５２とブラケット３との係合が解除可能となり、カウンター２をブラケット３から取り外すことができる。
【００５３】
次に、収納状態におけるカウンター２とブラケット３との係合構造について説明する。収納状態では、図４に示すように、ブラケット３から取り外したカウンター２の天板４１を水平方向に向け、底板５１側をブラケット３に近付ける。このとき、第一長辺端部２１が上側となるように配置し、排水口２４をブラケット３のアーム部３２に近付ける。排水口２４の平面視開口形状は、アーム部３２の正面視形状と相似し、排水口２４の開口寸法がアーム部３２の正面視形状よりもわずかに大きい。したがって、底板５１側をアーム部３２に対して奥行方向に近付けると、排水口２４内にアーム部３２が挿入可能となり、アーム部３２が排水口２４に係止される。この結果、カウンター２は、アーム部３２に係止された状態で下垂して支持され、カウンター２がブラケット３に収納状態で保持される。なお、図７に示すように、底板５１の第二長辺端部２２側の端部領域５９（図６参照）が第一壁部１０３に当接するように構成すると、カウンター２が上下方向の２か所で第一壁部１０３に支持されるため、カウンター２が収納状態で安定的に保持される。
【００５４】
図３に示すように、収納状態では、天板４１が第一壁部１０３に沿って配置されてカウンター２がブラケット３に保持される。本実施形態では、収納状態では、天板４１が第一壁部１０３に略平行に配置されてカウンター３が保持される。
【００５５】
図３に示すように、収納状態では、底板５１が第一壁部１０３に対向し、天板４１が奥行方向の手前側に配置されてカウンター２がブラケット３に保持される。
【００５６】
図３では、底板５１が第一壁部１０３に対向するように配置してカウンター２をブラケット３に保持する例を示したが、この構成に限定されない。例えば、図１１に示すように、天板４１が第一壁部１０３に対向し、底板５１が第一壁部１０３を奥行方向の手前側に位置するようにカウンター２を配置してブラケット３に保持してもよい。このように、ブラケット３は、天板４１を奥行方向の手前側に配置しても、底板５１を奥行方向の手前側に配置してもカウンター２を収納状態で保持可能な構成としてもよい。この結果、天板４１ならびに底板５１が清掃し易い。特に、天板４１に比べて凹凸箇所が多い底板５１を奥行方向の手前側に配置してブラケット３に保持すると、清掃が行い易い。また、天板４１を奥行方向の手前側に配置して保持すると、略平板上の天板４１が洗い場１０２側に見えるように配置されるため、収納状態時にカウンター２の見栄えがよい。
【００５７】
本実施形態に係る浴室カウンター収納構造によれば、着脱可能に構成されたカウンター２を第一壁部１０３から取り外した際に、ブラケット３により収納状態で保持できる。さらに、収納状態では、カウンター２を浴室の床面から上方に離間した位置で保持できる。このため、カウンター２を壁面から取り外した際に、浴室の床面から離間した位置で、カウンター２をブラケット３により安定的に支持できる。この結果、シャワー等の水栓から飛散する水が掛かったり、水が溜まりやすい床面から離間した位置でカウンター２を収納状態で保持できる。したがって、カウンター２を汚れ難い状態で収納可能である。また、清掃時に、清掃者がカウンターを手で保持することなく容易に清掃できる。この結果、カウンター２の清掃時の清掃者の負担を軽減できる。
【００５８】
本実施形態に係る浴室カウンター収納構造によれば、図２、図３及び図９に示すように、収納状態では、カウンター２の被係合部５２がブラケット３に係合された状態で、カウンター２の外周側壁２３の全周（天板４１の周縁全周）が第一壁部１０３に及び床面から離間した位置でブラケット３に保持されている。その結果、収納状態のカウンター２の全周を容易に清掃できる。
【００５９】
本実施形態に係る浴室カウンター収納構造によれば、収納状態において、カウンター２の天板４１の載置面を浴室の第一壁部１０３に沿って配置して収納できる。この結果、カウンター２の第一壁部１０３からの突出量を抑え、かつ床面から離間して収納できる。したがって、カウンター２の収納時、洗い場１０２におけるカウンター２の占有スペースを抑えることができ、カウンター２が掃除や浴槽使用時の使用者の動線を妨げることがない。また、洗い場１０２を広く使用できる。
【００６０】
本実施形態に係る浴室カウンター収納構造によれば、図３に示すように、収納状態では、カウンター２の底板５１（裏面）側が第一壁部１０３に対向し、第一壁部１０３に沿って配置されてブラケット３により保持される。したがって、収納状態時に、天板４１が浴室の洗い場１０２側に向けられて保持される。天板４１は、物品を載置するためにフラットな面を多く備えるため、収納状態では天板４１が第一壁部１０３と反対側に配置されると、カウンター２を見栄えよく収納できる。
【００６１】
また、底板５１は、天板４１に比べてブラケットへの取付けるための複雑な形状を多く備えるため、底板５１が浴室の第一壁部１０３に対向して配置されると、収納状態時に、底板５１を見せない状態で保持でき、カウンター２をシンプルな外観で収納できる。また、凹凸部分等に汚れが付着し易い底板５１を一旦見せない状態で収納できる。さらに、使用状態と収納状態とで、カウンター２の天板の向きが変わっただけであり、使用者が違和感なくカウンター２を収納できる。
【００６２】
本実施形態に係る浴室カウンター収納構造によれば、収納状態において、カウンター２の底板５１側が浴室の洗い場側に向けられて保持される。この結果、天板４１に比べて凹凸箇所が多い底板５１を清掃者側に配置して保持されるため、カウンター２の底板５１側を清掃し易い。
【００６３】
本実施形態に係る浴室カウンター収納構造によれば、カウンター２に設けられている排水口２４をブラケット３への被支持部として兼用できる。したがって、カウンター２に収納時にブラケット３へ係合させる係合部を別途形成する場合に比べて、カウンター２の凹凸を低減できる。この結果、外観意匠性に優れたカウンター２を提供できる。また、凹凸部の清掃を低減できるため、カウンター２の清掃時の負担を軽減できる。
【００６４】
本実施形態に係る浴室ユニット１００によれば、ブラケット３が洗い場１０２に面する壁面に取り付けられるため、使用状態のカウンター２を取り外してブラケット３に取り付ける際の使用者の動線が円滑となる。また、カウンター２の清掃時、清掃者が洗い場１０２に起立姿勢あるいは座位でカウンター２を容易に清掃できる。
【００６５】
浴室カウンター収納構造１及び浴室ユニット１００は、上記実施形態の構成に限定されない。図１０に、浴室カウンター収納構造１の変形例を示す。なお、以下の説明において、上記実施形態と同様の構成には実施形態と同一の符号を付し、重複する説明を省略する。上記実施形態では、ブラケット３を、カウンター２の使用状態の支持ブラケット及び収納状態の収納ブラケットとして兼用する例を示した。しかし、支持ブラケットと収納ブラケットとは別部材としてもよい。
【００６６】
図１０に示す変形例では、浴槽１０１の縁部１０１１に、上記ブラケット３と同様の構成のブラケットを取り付け、収納ブラケット３Ａとして使用している。図１０に示すように、上述の実施形態のブラケット３（支持ブラケット）に加えて、カウンター２の収納用の収納ブラケットを別途設けてもよい。また、本変形例のように、カウンター２を水栓１１０等の下方以外の場所に保持してもよい。このように、収納ブラケットの取付位置は、支持ブラケットが設けられる第一壁部１０３に限らず、浴室の壁面に設けられればよい。
【００６７】
このように、水栓１１０の下方以外の場所でカウンター２を収納状態で保持すると、シャワー器具の下方にカウンター２を収納状態で保持する場合に比べて、水栓１１０等の下方のスペースをより広く使用できる。例えば、洗い場１０２に椅子等を設置せず、使用者が起立状態でシャワー器具１０９を使用する場合に、使用者の動線を妨げず、使用者が快適に使用可能な浴室ユニットを提供できる。また、使用状態用のブラケット３を清掃する際に、カウンター２を浴槽１０１のエプロン１０５に沿って収納状態で保持できる。その結果、清掃時の清掃者の負担を軽減できる。
【００６８】
以上、本発明の実施形態について図面を参照して詳述したが、具体的な構成はこの実施形態に限られるものではなく、本発明の要旨を逸脱しない範囲の設計変更等も含まれる。
また、上述の実施形態及び各変形例において示した構成要素は適宜に組み合わせて構成することが可能である。
【符号の説明】
【００６９】
１  浴室カウンター収納構造
２  浴室カウンター
３  ブラケット（収納ブラケット）
２４  排水口
５１  底板（裏面）
４１  天板（載置面）
１００  浴室ユニット
１０２  洗い場
１０３  第一壁部（壁面）
【図１】
2020032108.tif 000003
【図２】
2020032108.tif 000004
【図３】
2020032108.tif 000005
【図４】
2020032108.tif 000006
【図５】
2020032108.tif 000007
【図６】
2020032108.tif 000008
【図７】
2020032108.tif 000009
【図８】
2020032108.tif 000010
【図９】
2020032108.tif 000011
【図１０】
2020032108.tif 000012
【図１１】
2020032108.tif 000013